(57)【要約】  お手本のアルバムに似たアルバムを比較的簡単に作成する画像処理装置，画像処理方法および画像処理プログラムを提供する。お手本のアルバムのページ(74)がページ表示領域(70)に表示され，そのページ(74)に貼り付けられている画像のうち１枚のお手本画像(80)がお手本画像表示領域(80)に表示される。お手本画像(80)に類似した画像(Ｉ１)が選択画像領域(90)に表示され，決定ボタン(91)がクリックされると，お手本画像が貼り付けられている位置に，その画像(Ｉ１)が貼り付けられる。その他の画像貼付領域に貼り付けられているお手本画像(Ｉｒ101)から(Ｉｒ104)などに類似した画像も見つけられて，同様にしてアルバムが作成されていく。お手本のアルバムに似たアルバムが作成される。
2020066291.tif 000002
【特許請求の範囲】
【請求項１】
複数のページから構成されるアルバムのページを表示する第１の表示領域を表示画面に表示するように表示装置を制御する第１の表示制御手段，
上記第１の表示領域に表示されているページの画像貼付領域に貼り付けられている画像のうちの１枚の画像を表示する第２の表示領域を上記表示画面に表示するように上記表示装置を制御する第２の表示制御手段，および
上記第２の表示領域に表示されている画像と異なる画像を表示する第３の表示領域を上記表示画面に表示するように上記表示装置を制御する第３の表示制御手段，
を備えた画像処理装置。
【請求項２】
上記第３の表示制御手段は，
上記第２の表示領域に表示されている画像に対する類似度がしきい値以上の画像を上記第３の表示領域に表示させる，
請求項１に記載の画像処理装置。
【請求項３】
複数の画像を入力する画像入力手段をさらに備え，
上記第３の表示制御手段は，
上記画像入力手段から入力した複数の画像の中から，上記第２の表示領域に表示されている画像に対する類似度がしきい値以上の画像を上記第３の表示領域に表示させる，
請求項１または２に記載の画像処理装置。
【請求項４】
上記画像入力手段から入力した複数の画像を表示する第４の表示領域を上記表示画面に表示するように上記表示装置を制御する第４の表示制御手段，
をさらに備えた請求項３に記載の画像処理装置。
【請求項５】
上記第４の表示制御手段は，
上記画像入力手段から入力した複数の画像を，上記第３の表示領域に表示させる画像としての類似度順に上記第４の表示領域に表示させる，
請求項４に記載の画像処理装置。
【請求項６】
上記第２の表示領域に表示されている画像に対する類似度，上記第２の表示領域に表示されている画像に含まれている顔についての情報の一致度，または上記第２の表示領域に表示されている画像についての撮影タイミングの一致度，の少なくともいずれか一つが高いほど上記類似度が高い，
請求項５に記載の画像処理装置。
【請求項７】
上記第４の表示領域に表示されている複数の画像のうちのいずれかの画像を指定する指定手段をさらに備え，
上記第３の表示制御手段は，
上記指定手段により指定された画像を上記第３の表示領域に表示させる，
請求項４から６のうち，いずれか一項に記載の画像処理装置。
【請求項８】
複数のアルバムのうち少なくとも一つのアルバムを表示する第５の表示領域を上記表示画面に表示するように上記表示装置を制御する第５の表示制御手段をさらに備え，
上記第１の表示制御手段は，
上記第５の表示領域に表示されているアルバムのページを上記第１の表示領域に表示させる，
請求項１から７のうち，いずれか一項に記載の画像処理装置。
【請求項９】
アルバムのテンプレートを選択する選択手段をさらに備え，
上記第５の表示制御手段は，
上記選択手段によって選択されたテンプレートに対応するアルバムを上記第５の表示領域に表示させる，
請求項８に記載の画像処理装置。
【請求項１０】
上記第１の表示制御手段および上記第２の表示制御手段の少なくとも一方は，
上記第２の表示領域に表示される画像よりも上記第１の表示領域に表示されるページに含まれる画像のうち，上記第２の表示領域に表示される画像を小さく表示させる，
請求項１から９のうち，いずれか一項に記載の画像処理装置。
【請求項１１】
上記第２の表示領域に表示されている画像以外の画像を表示する指令を入力する指令入力手段をさらに備え，
上記第２の表示制御手段は，
上記指令入力手段から指令が入力されたことに応じて，上記第１の表示領域に表示されているページに含まれている画像のうち，上記第２の表示領域に表示されている画像以外の画像を，上記第２の表示領域に表示させる，
請求項１から10のうち，いずれか一項に記載の画像処理装置。
【請求項１２】
上記第３の表示領域に表示されている画像を用いて画像商材を作成する画像商材作成手段，
をさらに備えた請求項１から11のうち，いずれか一項に記載の画像処理装置。
【請求項１３】
上記画像商材作成手段は，
上記第３の表示領域に表示されている画像を，上記第１の表示領域に表示されているページのうち，上記第２の表示領域に表示されている画像に対応する画像貼付領域に貼り付けて画像商材としてのアルバムを作成する，
請求項12に記載の画像処理装置。
【請求項１４】
第１の表示制御手段が，複数のページから構成されるアルバムのページを表示する第１の表示領域を表示画面に表示するように表示装置を制御し，
第２の表示制御手段が，上記第１の表示領域に表示されているページの画像貼付領域に貼り付けられている画像のうちの１枚の画像を表示する第２の表示領域を上記表示画面に表示するように上記表示装置を制御し，
第３の表示制御手段が，上記第２の表示領域に表示されている画像と異なる画像を表示する第３の表示領域を上記表示画面に表示するように上記表示装置を制御する，
画像処理方法。
【請求項１５】
画像処理装置のコンピュータを制御し，かつ上記コンピュータが読み取り可能なプログラムであって，
複数のページから構成されるアルバムのページを表示する第１の表示領域を表示画面に表示するように表示装置を制御させ，
上記第１の表示領域に表示されているページの画像貼付領域に貼り付けられている画像のうちの１枚の画像を表示する第２の表示領域を上記表示画面に表示するように上記表示装置を制御させ，
上記第２の表示領域に表示されている画像と異なる画像を表示する第３の表示領域を上記表示画面に表示するように上記表示装置を制御させる，画像処理装置のコンピュータを制御するプログラム。
【請求項１６】
請求項15に記載のプログラムを格納した記録媒体。
【発明の詳細な説明】
【技術分野】
【０００１】
この発明は，画像処理装置，画像処理方法および画像処理プログラムに関する。
【背景技術】
【０００２】
ディジタル・カメラ，スマートフォンなどの普及により撮影する機会が増え，撮影により得られる画像が極めて多くなってきている。多くの画像は，画像データの形式でディジタル・カメラ，スマートフォンなどの本体やメモリ・カードなどに記録されていることが多い。極めて多くの画像の中から所望の画像を見つけ出すことは難しいために，撮影した画像を閲覧する機会は少ないことがある。このために，撮影した多くの画像の中から所望の画像を紙のアルバムとして残すことが考えられている。たとえば，絵本の世界観に合わせたレイアウトでフォトブックを作成するもの（特許文献１），同一品質のアルバムを作成できるようにするもの（特許文献２）などがある。また，アルバムの編集を行う場合などにおいて画像補正などの調整を行うことがあることから，画像補正などの調整時にサンプル画像を表示するもの（特許文献３）なども考えられている。
【先行技術文献】
【特許文献】
【０００３】
【特許文献１】特開2016-018418号公報
【特許文献２】特開2005-184789号公報
【特許文献３】特開2010-198078号公報
【発明の概要】
【発明が解決しようとする課題】
【０００４】
アルバムを作成しようとする場合に，アルバムに貼り付ける画像の選択，選択した画像をアルバムに貼り付ける位置の決定，アルバムに貼り付ける画像の大きさの決定などをユーザがすべて行うと，きわめて面倒となり，アルバムに適した画像が選択されていなかったり，適した位置に画像が貼り付けられていなかったりすることがあり，アルバムの完成度は低くなってしまうことがある。特許文献１においては，絵本の世界観をもつアルバムを作成するものであり，比較的簡単に完成度の高いアルバムを作成することは考えられていない。特許文献２においては，テンプレートの画像挿入領域に，その画像挿入領域に挿入されるべき画像の構図を有するサンプル画像が案内画像として挿入されるが，表示画面に表示されるテンプレート画像挿入領域は比較的小さいので，案内画像が見づらく，テンプレートの画像挿入領域に挿入する画像を選択することは難しい。特許文献３においては，アルバムを作成することは考えられていない。【０００５】
この発明は，比較的簡単に完成度の高いアルバムを作成できるようにすることを目的とする。
【課題を解決するための手段】
【０００６】
この発明による画像処理装置は，複数のページから構成されるアルバムのページを表示する第１の表示領域を表示画面に表示するように表示装置を制御する第１の表示制御手段，第１の表示領域に表示されているページの画像貼付領域に貼り付けられている画像のうちの１枚の画像を表示する第２の表示領域を表示画面に表示するように表示装置を制御する第２の表示制御手段，および第２の表示領域に表示されている画像と異なる画像を表示する第３の表示領域を表示画面に表示するように表示装置を制御する第３の表示制御手段を備えていることを特徴とする。【０００７】
この発明は，画像処理装置に適した画像処理方法も提供している。すなわち，この方法は，第１の表示制御手段が，複数のページから構成されるアルバムのページを表示する第１の表示領域を表示画面に表示するように表示装置を制御し，第２の表示制御手段が，第１の表示領域に表示されているページの画像貼付領域に貼り付けられている画像のうちの１枚の画像を表示する第２の表示領域を表示画面に表示するように表示装置を制御し，第３の表示制御手段が，第２の表示領域に表示されている画像と異なる画像を表示する第３の表示領域を表示画面に表示するように表示装置を制御する。【０００８】
この発明は，画像処理装置がプロセッサを含み，プロセッサが，複数のページから構成されるアルバムのページを表示する第１の表示領域を表示画面に表示するように表示装置を制御し，第１の表示領域に表示されているページの画像貼付領域に貼り付けられている画像のうちの１枚の画像を表示する第２の表示領域を表示画面に表示するように表示装置を制御し，第２の表示領域に表示されている画像と異なる画像を表示する第３の表示領域を表示画面に表示するように表示装置を制御してもよい。【０００９】
この発明は，画像処理装置のコンピュータを制御し，かつコンピュータが読み取り可能なプログラムおよびそのプログラムを格納した記録媒体も提供している。【００１０】
第３の表示制御手段は，たとえば，第２の表示領域に表示されている画像に対する類似度がしきい値以上の画像を第３の表示領域に表示させるとよい。【００１１】
複数の画像を入力する画像入力手段をさらに備えてもよい。この場合，第３の表示制御手段は，たとえば，画像入力手段から入力した複数の画像の中から，第２の表示領域に表示されている画像に対する類似度がしきい値以上の画像を第３の表示領域に表示させてもよい。【００１２】
画像入力手段から入力した複数の画像を表示する第４の表示領域を表示画面に表示するように表示装置を制御する第４の表示制御手段をさらに備えてもよい。【００１３】
第４の表示制御手段は，たとえば，画像入力手段から入力した複数の画像を，第３の表示領域に表示させる画像としての類似度順に第４の表示領域に表示させるものでもよい。【００１４】
第２の表示領域に表示されている画像に対する類似度，第２の表示領域に表示されている画像に含まれている顔についての情報の一致度，または第２の表示領域に表示されている画像についての撮影タイミングの一致度，の少なくともいずれか一つが高いほど類似度が高いとよい。【００１５】
第４の表示領域に表示されている複数の画像のうちのいずれかの画像を指定する指定手段をさらに備えてもよい。この場合，第３の表示制御手段は，たとえば，指定手段により指定された画像を第３の表示領域に表示させるものとなろう。【００１６】
複数のアルバムのうち少なくとも一つのアルバムを表示する第５の表示領域を表示画面に表示するように表示装置を制御する第５の表示制御手段をさらに備えてもよい。この場合，第１の表示制御手段は，たとえば，第５の表示領域に表示されているアルバムのページを第１の表示領域に表示させる。【００１７】
アルバムのテンプレートを選択する選択手段をさらに備えてもよい。この場合，第５の表示制御手段は，たとえば，選択手段によって選択されたテンプレートに対応するアルバムを第５の表示領域に表示させる。【００１８】
第１の表示制御手段および第２の表示制御手段の少なくとも一方は，第２の表示領域に表示される画像よりも第１の表示領域に表示されるページに含まれる画像のうち，第２の表示領域に表示される画像を小さく表示させることが好ましい。【００１９】
第２の表示領域に表示されている画像以外の画像を表示する指令を入力する指令入力手段をさらに備えてもよい。この場合，第２の表示制御手段は，たとえば，指令入力手段から指令が入力されたことに応じて，第１の表示領域に表示されているページに含まれている画像のうち，第２の表示領域に表示されている画像以外の画像を，第２の表示領域に表示させることが好ましい。【００２０】
第３の表示領域に表示されている画像を用いて画像商材を作成する画像商材作成手段をさらに備えてもよい。【００２１】
画像商材作成手段は，たとえば，第３の表示領域に表示されている画像を，第１の表示領域に表示されているページのうち，第２の表示領域に表示されている画像に対応する画像貼付領域に貼り付けて画像商材としてのアルバムを作成する。
【発明の効果】
【００２２】
この発明によると，第１の表示領域に参考となるアルバムのページが表示されることにより，第２の表示領域には参考となる画像が表示されるので，第２の表示領域に表示されている画像を参考として，第３の表示領域に画像を表示させることにより，参考となるアルバムの画像貼付領域に対応する領域に貼り付ける画像を見つけることができる。比較的簡単に参考となるアルバムと似たアルバムを作成できるようになる。
【図面の簡単な説明】
【００２３】
【図１】画像処理システムの概要を示している。
【図２】クライアント・コンピュータの電気的構成を示すブロック図である。
【図３】クライアント・コンピュータの処理手順を示すフローチャートである。
【図４】クライアント・コンピュータの処理手順を示すフローチャートである。
【図５】アルバム作成ウインドウの一例である。
【図６】テンプレートとお手本のアルバムとの関係等を示している。
【図７】お手本のアルバムを構成する各ページを示している。
【図８】アルバム作成ウインドウの一例である。
【図９】お手本画像の切り替え処理手順を示すフローチャートである。
【図１０】お手本ページの一例である。
【図１１】作成されたアルバムのページの一例である。
【図１２】結婚式の流れ等を示している。
【発明を実施するための形態】
【００２４】
図１は，この発明の実施例を示すもので，画像処理システムの概要を示している。
【００２５】
画像処理システムは，複数の画像の中から画像を抽出してアルバムを作成するシステムである。
【００２６】
画像処理システムには，クライアント・コンピュータ１（画像処理装置の一例である。），受注サーバ２およびプリンタ３が含まれている。クライアント・コンピュータ１と受注サーバ２とがインターネットを介して通信可能である。受注サーバ２には，プリンタ３が接続されている。
【００２７】
クライアント・コンピュータ１において，複数の画像から画像が抽出され，抽出された画像を表す画像データが受注サーバ２に送信される。受注サーバ２からプリンタ３に画像データが送信され，プリンタ３（画像商材作成手段の一例である）においてアルバムが作成される。作成されたアルバムは，クライアント・コンピュータ１のユーザに送られる。
【００２８】
図２は，クライアント・コンピュータ１の電気的構成を示すブロック図である。
【００２９】
クライアント・コンピュータ１の全体の動作は，ＣＰＵ(Central Processing Unit)10によって統括される。
【００３０】
クライアント・コンピュータ１には，画像その他の情報を表示画面に表示する表示装置11およびインターネットその他のネットワークに接続してクライアント・コンピュータ１以外の装置等と通信する通信装置12が含まれている。また，クライアント・コンピュータ１には，ハード・ディスク13，ハード・ディスク13にアクセスするハード・ディスク・ドライブ14，データ等を記憶するメモリ15，コマンド等を入力するキーボード16およびマウス17も含まれている。さらに，クライアント・コンピュータ１には，コンパクト・ディスク19にアクセスするコンパクト・ディスク・ドライブ18ならびにメモリ・カード21へのデータの書き込みおよびメモリ・カード21に記録されているデータの読み取りを行うメモリ・カード・リーダ・ライタ20も含まれている。
【００３１】
後述するクライアント・コンピュータ１の動作プログラムは，インターネットを介して通信装置12において受信される。受信された動作プログラムがクライアント・コンピュータ１にインストールされる。動作プログラムはインターネットなどのようなネットワークを介してクライアント・コンピュータ１に受信されてクライアント・コンピュータ１にインストールされずに，コンパクト・ディスク19などの可搬型記録媒体に記録され，その可搬型記録媒体から読み取られてもよい。その場合には，可搬型記録媒体から読み取られた動作プログラムがクライアント・コンピュータ１にインストールされる。動作プログラムは，クライアント・コンピュータ１のコンピュータ(ＣＰＵ10)が読み取り可能である。
【００３２】
図３および図４は，クライアント・コンピュータ１の処理手順を示すフローチャートである。
【００３３】
この実施例は，お手本のアルバムに貼り付けられている画像を参考にして，そのお手本のアルバムと同じようなアルバムを作成するものである。この実施例においては，結婚式のアルバムを作成する場合について説明するが，結婚式のアルバムに限らず，卒業アルバム，子供の成長の記録を表すアルバムその他のアルバムを作成する場合にも適用できる。また，アルバムは，複数ページからなるものに画像（写真）が貼り付けられていればよく，名称は問わず，リーフレット，パンフレットのようなものも含む。
【００３４】
この実施例によるアルバム作成プログラムが起動させられると，表示装置11の表示画面に，図５に示すアルバム作成ウインドウ50が表示される（ステップ31）。
【００３５】
図５は，アルバム作成ウインドウ50の一例である。
【００３６】
アルバム作成ウインドウ50の左上には，「ファイル」の文字列が表示されているファイル・メニュー・ボタン51，「サムネールの数」の文字列が表示されているサムネール・メニュー・ボタン52，「ウインドウ」の文字列が表示されているウインドウ・メニュー・ボタン53および「設定」の文字列が表示されている設定メニュー・ボタン54が形成されている。ファイル・メニュー・ボタン51は，アルバムを新規に作成する場合等にユーザによってクリックされる。設定メニュー・ボタン54は，新たに作成されるアルバムに貼り付ける画像が格納されている画像フォルダを指定する場合等にユーザによってクリックされる。
【００３７】
アルバム作成ウインドウ50には，お手本のアルバムを表示するアルバム表示領域60（第５の表示領域の一例である），お手本のページの画像を表示するページ表示領域70（第１の表示領域の一例である），お手本画像を表示するお手本画像表示領域80（第２の表示領域の一例である），アルバム作成プログラムにもとづいて選択される画像またはユーザによって選択された画像を表示する選択画像表示領域90（第３の表示領域の一例である）および画像一覧表示領域100（第４の表示領域の一例である）が含まれている。
【００３８】
後述するように，ユーザによってアルバムに使用されるテンプレートが選択されると，選択されたテンプレートに対応するお手本となる複数のアルバムが見つけられる。見つけられたアルバムの中から最適なアルバムがアルバム表示領域60に表示される。アルバム表示領域60には，「前のお手本」の文字列が表示されている前のお手本ボタン61および「次のお手本」の文字列が表示されている次のお手本ボタン62が形成されている。アルバム表示領域60には，上述のようにお手本のアルバムが表示され，前のお手本ボタン61がクリックされることにより，見つけられた複数のアルバムのうち，アルバム表示領域60に表示されているアルバムの前のお手本のアルバムがアルバム表示領域60に表示され，次のお手本ボタン62がクリックされることにより，見つけられた複数のアルバムのうち，アルバム表示領域60に表示されているアルバムの次のお手本のアルバムがアルバム表示領域60に表示される。アルバムを表示するとは，アルバムを特定できる情報を表示すればよく，アルバムの表紙を表示してもよいし，アルバムを特定するアルバム番号などの識別情報を表示してもよい。また，アルバムの識別情報をリスト形式で表示してもよい。
【００３９】
ページ表示領域70には，「前ページ」の文字列が表示されている前ページ・ボタン71および「次のページ」の文字列が表示されている次ページ・ボタン72が形成されている。前ページ・ボタン71がクリックされると，ページ表示領域70に表示されているベージの前のページがページ表示領域70に表示され，次ページ・ボタン72がクリックされると，ページ表示領域70に表示されているページの次のページがページ表示領域70に表示される。ページ表示領域70に表示されるページは，左右の見開きのページを１ページとしてページ表示領域70に表示してもよいし，見開きの左右のいずれかのページを１ページとして，左右のいずれかのページをページ表示領域70に表示してもよい。
【００４０】
お手本画像表示領域80には，「前画像」の文字列が表示されている前画像ボタン81および「次画像」の文字列が表示されている次画像ボタン82が形成されている。前画像ボタン81がクリックされると，ページ表示領域70に表示されているページのうちお手本画像表示領域80に表示されている画像の前の画像がお手本画像表示領域80に表示される。次画像ボタン82がクリックされると，ページ表示領域70に表示されているページのうちお手本画像表示領域80に表示されている画像の次の画像がお手本画像表示領域80に表示される。
【００４１】
選択画像表示領域90には，「決定」の文字列が表示されている決定ボタン91が形成されている。決定ボタン91がクリックされると，選択画像表示領域90に表示されている画像がアルバムに貼付される画像と決定される。
【００４２】
画像一覧表示領域100には，おすすめ画像を一覧で表示するおすすめ画像一覧表示領域101または時系列順で画像を表示する時系列画像一覧表示領域102が表示される。おすすめ画像一覧表示領域101の左上には「おすすめ」の文字列が表示されているおすすめタブが形成されており，このおすすめタブがクリックされることにより，画像一覧表示領域100にはおすすめ画像一覧表示領域101が表示される。時系列画像一覧表示領域102の左上には「時系列」の文字列が表示されている時系列タブが形成されており，この時系列タブがクリックされることにより，画像一覧表示領域100には時系列画像一覧表示領域102が表示される。アルバム表示領域60，ページ表示領域70，お手本画像表示領域80，選択画像表示領域90，および画像一覧表示領域100は互いに重なってもよいが，重ならないように表示してもよい。
【００４３】
アルバム作成ウインドウ50が表示されると，ユーザは，アルバムに使用される画像が格納されている画像フォルダを指定する（図３ステップ32）。設定メニュー・ボタン54がユーザによってクリックされると，表示装置11の表示画面に設定メニューが現われる。設定メニューに含まれている「フォルダ」のメニューがクリックされると，表示装置11の表示画面にはフォルダ参照ウインドウ（図示略）が現われて，マウス17を用いて所望の画像フォルダが指定される。
【００４４】
つづいて，ユーザは，アルバムに使用されるテンプレートを選択する（図３ステップ33）。ファイル・メニュー・ボタン51がユーザによってクリックされると，表示装置11の表示画面にファイル・メニューが現われる。ファイル・メニューに含まれている「新規作成」のメニューがクリックされると，表示装置11の表示画面には新規作成ウインドウ（図示略）が現われて，マウス17（選択手段の一例である）を用いて所望のテンプレートが選択される。
【００４５】
テンプレートが選択されると，選択されたテンプレートを用いて作成された過去のお手本のアルバムの中から，次のようにして，適したアルバムが見つけられる（ステップ34）。
【００４６】
図６は，ユーザによって選択されたテンプレート（テンプレートＴ１が選択されたものとする）とそのテンプレートを用いて作成されたお手本のアルバムとの関係等を示している。
【００４７】
テンプレートＴ１を利用して作成されたお手本のアルバムには，お手本アルバムＡｂ１からお手本アルバムＡｂ10までがあったものとする。お手本アルバムＡｂ１には，お手本画像Ｉｒ100からお手本画像Ｉｒ199までがテンプレートＴ１の画像貼付領域に貼付されている。
【００４８】
図７は，お手本アルバムＡｂ１を構成する一部のページを示している。
【００４９】
お手本アルバムＡｂ１は，見開きで第１ページから第18ページまである（表紙および裏表紙を除く）。第１ページにはテンプレートＴ１のレイアウトにしたがってお手本画像Ｉｒ100からお手本画像Ｉｒ104が貼付されている。第２ページにはテンプレートＴ１のレイアウトにしたがってお手本画像Ｉｒ105からお手本画像Ｉｒ109が貼付されている。他のページもテンプレートＴ１のレイアウトにしたがってお手本画像が貼付されており，第18ページにはテンプレートＴ１のレイアウトにしたがってお手本画像Ｉｒ195からお手本画像Ｉｒ199が貼付されている。
【００５０】
お手本アルバムＡｂ１以外のお手本アルバムＡｂ２からお手本アルバムＡｂ10についてもお手本アルバムＡｂ１と同様にテンプレートＴ１のレイアウトにしたがって，お手本画像Ｉｒ200からお手本画像Ｉｒ1099が貼付されている。お手本アルバムＡｂ２，Ａｂ３，Ａｂ４，Ａｂ５，Ａｂ６，Ａｂ７，Ａｂ８，Ａｂ９およびＡｂ10のそれぞれには，お手本画像Ｉｒ200からＩｒ299，Ｉｒ300からＩｒ399，Ｉｒ400からＩｒ499，Ｉｒ500からＩｒ599，Ｉｒ600からＩｒ699，Ｉｒ700からＩｒ799，Ｉｒ800からＩｒ899，Ｉｒ900からＩｒ999およびＩｒ1000からＩｒ1099が貼付されている。
【００５１】
お手本アルバムＡｂ１からＡｂ10のそれぞれに貼付されているお手本画像Ｉｒ100からＩｒ1099のうち，ユーザによって設定された画像フォルダに格納されている画像との類似度がしきい値以上のお手本画像が見つけられる。見つけられたしきい値以上のお手本画像が最も多く利用されているお手本アルバムが，ユーザが利用するお手本アルバムとして適したものとなる。
【００５２】
このようにして見つけられたお手本アルバムがＣＰＵ10（第５の表示制御手段の一例である）によってアルバム表示領域60に表示される（図３ステップ35）。この実施例では，お手本アルバムＡｂ１が適したお手本アルバムとされたものとする。
【００５３】
図８は，アルバム作成ウインドウ50の一例である。
【００５４】
アルバム作成ウインドウ50のアルバム表示領域60には，お手本アルバムＡｂ１の表紙64が表示されている。ユーザは，この表紙64を見ることにより，表紙64をもつお手本アルバムＡｂ１を参考にしてアルバムを作成していけばよいことが分かる。前のお手本ボタン61または次のお手本ボタン62がクリックされることにより，アルバム表示領域60に表示されているお手本アルバムＡｂ１の表紙64以外のお手本アルバムＡｂ２からＡｂ10のいずれかの表紙がお手本のアルバム表示領域60に表示される。お手本のアルバム表示領域60の下部の中央には，ユーザが選択したテンプレートＴ１のお手本のアルバムＡｂ１からＡｂ10のうち，何番目のお手本のアルバムの表紙が表示されているかを示す文字列63が表示されている。文字列63の分母が，ユーザが選択したテンプレートＴ１のお手本のアルバムＡｂ１からＡｂ10の数であり，文字列63の分子がアルバム表示領域60に表示されているアルバムが何番目のアルバムかを示す数である。
【００５５】
また，ＣＰＵ10（第１の表示制御手段の一例である）によって表示されるページ表示領域70には，初期状態では，アルバム表示領域60に表示されているアルバムの第１ページが表示される（図３ステップ36）。図８に示す例では，アルバム表示領域60には，お手本のアルバムＡｂ１の表紙64が表示されているからお手本のアルバムＡｂ１の第１ページ74が表示されている。第１ページ74には，上述のように，お手本画像Ｉｒ100，Ｉｒ101，Ｉｒ102，Ｉｒ103およびＩｒ104が貼付されている。前ページ・ボタン71がクリックされることにより，ページ表示領域70に表示されているページの前のページがページ表示領域70に表示される（この場合，前のページが無いので前ページ・ボタン71はクリックできない。）。次ページ・ボタン72がクリックされることにより，ページ表示領域70に表示されているページの次のページがページ表示領域70に表示される。ページ表示領域70の下部の中央にはページ表示領域70に表示されているページがお手本のアルバムの何ページ目かを示す文字列73が表示されている。文字列73の分母が，アルバムの総ページ数であり，文字列73の分子が，ページ表示領域70に表示されているページが何ページ目かを示している。
【００５６】
さらに，ＣＰＵ10（第２の表示制御手段の一例である）によって表示されるお手本画像表示領域80には，初期状態では，ページ表示領域70に表示されているページに貼付されている画像のうち最初の画像が表示される（図４ステップ37）。図８に示す例では，ページ表示領域70には，お手本のアルバムＡｂ１の第１ページ74が表示されているから，その第１ページ74の最初のお手本画像Ｉｒ100（１枚の画像の一例である）がお手本画像表示領域80に表示されている。お手本画像表示領域80に表示されるお手本画像Ｉｒ100よりもページ表示領域70に表示されるお手本画像Ｉｒ100の方が小さい。お手本画像表示領域80に表示されるお手本画像Ｉｒ100が大きいので確認しやすい。前画像ボタン81がクリックされることにより，ページ表示領域70に表示されているページ74に貼付されているお手本画像Ｉｒ100からＩｒ104のうち，お手本画像表示領域80に表示されているお手本画像Ｉｒ100の前の画像がお手本画像表示領域80に表示される（この場合，お手本画像Ｉｒ100の前の画像は無いので，前画像ボタン81はクリックできない。もっとも，お手本画像Ｉｒ100が貼付されているページの前のページに貼付されている画像のうちの最後のお手本画像が表示されるようにしてもよい。）。次画像ボタン82がクリックされることにより，お手本画像表示領域80に表示されている画像Ｉｒ100の次の画像がお手本画像表示領域80に表示される。お手本画像表示領域80の下部の中央には，お手本画像表示領域80に表示されているお手本画像Ｉｒ100がページの何番目の画像かを示す文字列83が表示されている。文字列83の分母は，お手本画像Ｉｒ100が表示されている画像の総数を示し，分子はお手本画像Ｉｒ100がページに表示されている画像のうち何番目の画像かを示す。
【００５７】
お手本画像表示領域80に表示されているお手本画像Ｉｒ100との類似度が，ユーザによって選択された画像フォルダに格納されている画像｛メモリ・カード21などに記録されていた画像であり，メモリ・カード・リーダ・ライタ20（複数の画像を入力する画像入力手段の一例である）によってクライアント・コンピュータに読み取られた画像である｝について算出される。お手本画像表示領域80に表示されているお手本画像Ｉｒ100との類似度がしきい値以上の最も高い画像が，ユーザによって選択された画像フォルダに格納されている画像の中から見つけられる（図４ステップ38）。見つけられた画像が選択画像92（第２の表示領域に表示されている画像と異なる画像の一例である）として，ＣＰＵ10（第３の表示制御手段の一例である）によって表示される選択画像表示領域90に，表示される（図４ステップ39）。選択画像表示領域90に形成されている決定ボタン91がクリックされると，選択画像表示領域90に表示されている選択画像92が，お手本画像Ｉｒ100が貼付されているページの位置に貼り付ける画像として決定される。
【００５８】
つづいて，お手本画像表示領域80に表示されているお手本画像Ｉｒ100との類似度がしきい値以上の画像が，ユーザによって選択された画像フォルダに格納されている画像の中から見つけられる（図４ステップ40）。見つけられた画像が，ＣＰＵ10（第４の表示制御手段の一例である）によって表示されるおすすめ画像表示領域101に一覧で表示される（図４ステップ41）。
【００５９】
おすすめ画像表示領域101には，お手本画像表示領域80に表示されているお手本画像Ｉｒ100に対する類似度の高い順に，おすすめ画像Ｉ１からＩ15が表示されている。どの画像がお手本画像に似ているかを把握できる。おすすめ領域101に表示されない画像はスクロールすることによりおすすめ画像表示領域101に表示される。おすすめ画像Ｉ１からＩ15の左側には，チェック・ボックスＢ１からＢ15が形成されている。選択画像表示領域90には，おすすめ画像表示領域101に表示されているおすすめ画像Ｉ１からＩ15のうち，おすすめ画像Ｉ１が表示されているから，おすすめ画像Ｉ１の左側に形成されているチェック・ボックスＢ１がチェックされている。選択画像表示領域90におすすめ画像Ｉ１以外の画像を表示させる場合には，表示させようとするおすすめ画像の左側に形成されているチェック・ボックスＢ１からＢ15のうちのいずれかがチェックされる。所望の画像を選択できる。たとえば，チェック・ボックスＢ２がマウス17（指定手段の一例である）によってチェックされると，チェック・ボックスＢ２に対応するおすすめ画像Ｉ２が選択画像表示領域90に表示され，チェック・ボックスＢ１のチェックが消去される。ユーザは，選択画像表示領域90に所望の画像を表示させることにより，お手本画像表示領域80に表示されているお手本画像Ｉｒ100と比較しながら，アルバムに貼付する画像を決定することができる。もっとも画像一覧表示領域100（おすすめ画像表示領域101，時系列画像一覧表示領域102）を表示せずに，選択画像表示領域90内または外に画像変更ボタン等を設け，その画像変更ボタン等のクリックに応じて，選択画像表示領域90に表示される画像が切り替わってもよい。切り替わって表示される画像は，お手本画像Ｉｒ100との類似度順でも類似度順でなくともよい。また，おすすめ画像表示領域101に表示される画像が多い場合には類似度のしきい値を上げておすすめ画像表示領域101に表示される画像を少なくしてもよいし，逆におすすめ画像表示領域に表示される画像が少ない場合にはおすすめ画像表示領域101が表示される画像を多くしてもよい。
【００６０】
図８に示す状態の場合に，アルバム表示領域60に形成されている前のお手本ボタン61がクリックされると，アルバム表示領域60に表示されているお手本のアルバムＡｂ１の表紙64の代わりに，お手本のアルバムＡｂ10の表紙が表示される。また，アルバム表示領域60に形成されている次のお手本ボタン62がクリックされると，アルバム表示領域60に表示されているお手本のアルバムＡｂ１の表紙64の代わりに，次のお手本のアルバムＡｂ２の表紙が表示される。前のお手本ボタン61がクリックされると，アルバム表示領域60には，お手本のアルバムＡｂ10の第１ページが表示され，次のお手本ボタン62がクリックされると，アルバム表示領域60には，お手本のアルバムＡｂ２の第１ページが表示される。
【００６１】
ページ表示領域70に表示されているページ70の前のページがある場合に，前ページ・ボタン71がクリックされると，前のページがページ表示領域70に表示される。お手本画像表示領域80には，その前のページの最初のお手本画像が表示される。ページ表示領域70に表示されているページ70の後のページがある場合に，後ページ・ボタン72がクリックされると，後のページがページ表示領域70に表示される。お手本画像表示領域80には，その後のページの最初のお手本画像が表示される。
【００６２】
お手本画像表示領域80に形成されている前画像ボタン81または次画像ボタン82がクリックされると切替指令が発生し，お手本画像表示領域80に表示されているお手本画像が切り替わるが，お手本画像表示領域80に形成されている前画像ボタン81または次画像ボタン82がクリックされなくとも，アルバム表示領域60に形成されている前のお手本ボタン61もしくは次のお手本ボタン62のクリック，またはページ表示領域70に形成されている前ページ・ボタン71もしくは次ページ・ボタン72のクリックにより切替指令が発生し，お手本画像表示領域80に表示されるお手本画像Ｉｒ100が切り替わる。
【００６３】
図９は，切替指令が発生した場合のクライアント・コンピュータ１の処理手順を示すフローチャートである。
【００６４】
上述のように，前のお手本ボタン61，次のお手本ボタン62，前ページ・ボタン71，次ページ・ボタン72，前画像ボタン81または次画像ボタン82（指令入力手段の一例である）がクリックされると切替指令が発生し，クリックされたボタンに応じたお手本画像がお手本画像表示領域80に表示される（ステップ101）。
【００６５】
お手本画像表示領域80に表示されていたお手本画像が切り替わって新たなお手本画像（ページ表示領域70に表示されているページに含まれている画像のうち，お手本画像表示領域80に表示されている画像以外の画像の一例である）がお手本画像表示領域80に表示されると（ステップ102），切り替わったお手本画像に対する類似度が，ユーザが指定した画像フォルダに格納されている画像について算出される。算出された類似度が最も高い画像が見つけられ（ステップ103），見つけられた画像が選択画像表示領域90に表示される（ステップ104）。また，類似度がしきい値以上の画像が，ユーザが指定した画像フォルダに格納されている画像の中から見つけられ（ステップ105），類似度の高い順に，ユーザが指定した画像フォルダに格納されている画像がおすすめ画像表示領域101に表示される（ステップ106）。
【００６６】
このように，お手本画像表示領域80に表示されるお手本画像が変わるごとに，選択画像表示領域90に表示される画像が切り替わり，おすすめ画像表示領域101に表示される画像および画像の表示順序も変わる。
【００６７】
図10は，ページ表示領域70に表示されるお手本のページ74の一例であり，図８に示すお手本のページ74に比べて拡大されている。図11は，お手本のページ74を参考にして作成されたアルバムを構成するページＰｇの一例である。
【００６８】
図10を参照して，お手本のページ74には画像貼付領域Ａｒ１，Ａｒ２，Ａｒ３，Ａｒ４およびＡｒ５が形成されており，これらの画像貼付領域Ａｒ１，Ａｒ２，Ａｒ３，Ａｒ４およびＡｒ５に，お手本画像Ｉｒ100，Ｉｒ101，Ｉｒ102，Ｉｒ103，Ｉｒ104およびＩｒ105がそれぞれ貼り付けられている。
【００６９】
図11を参照して，ページＰｇにもお手本のページと同じレイアウトにより画像貼付領域Ａｒ１，Ａｒ２，Ａｒ３，Ａｒ４およびＡｒ５が形成されている。これらの画像貼付領域Ａｒ１，Ａｒ２，Ａｒ３，Ａｒ４およびＡｒ５に，ユーザが選択した画像フォルダに格納されている画像Ｉｒ１，Ｉｒ21，Ｉｒ22，Ｉｒ12およびＩｒ11が貼り付けられている。
【００７０】
図11に示すページＰｇの画像貼付領域Ａｒ１に貼り付けられている画像Ｉｒ１は，図10に示すお手本のページ74の画像貼付領域Ａｒ１に貼り付けられている画像Ｉｒ100を参考にして選択された画像であり，構図など類似度の高い画像である。同様に，図10の画像貼付領域Ａｒ２に貼り付けられているお手本画像Ｉｒ101と図11の画像貼付領域Ａｒ２に貼り付けられている画像Ｉｒ21，図10の画像貼付領域Ａｒ３に貼り付けられているお手本画像Ｉｒ102と図11の画像貼付領域Ａｒ３に貼り付けられている画像Ｉｒ22，図10の画像貼付領域Ａｒ４に貼り付けられているお手本画像Ｉｒ103と図11の画像貼付領域Ａｒ４に貼り付けられている画像Ｉｒ12，および図10の画像貼付領域Ａｒ５に貼り付けられているお手本画像Ｉｒ104と図11の画像貼付領域Ａｒ５に貼り付けられている画像Ｉｒ11は，いずれも構図などの類似度の高い画像である。お手本のページ74と同じような印象をもつページＰｇのアルバムが作成される。このようにして生成されたページＰｇを表わすデータが受注サーバ２に送信されることによりプリンタ３によって紙のアルバムが作成される。もっとも，テンプレート・データと選択画像を表わすデータと画像の貼付位置などを示すデータを受注サーバ２に送信して，受注サーバ２においてアルバムを表わすデータを作成してもよい。ページＰｇ以外のページもお手本のアルバムのお手本のページと同じように作成でき，お手本のアルバムと同じようなアルバムをユーザが作成できる。
【００７１】
お手本画像表示領域80に表示されるお手本画像に対する類似度にもとづいて選択画像表示領域90に表示される画像，おすすめ画像表示領域101に表示される画像およびその画像の順序が決定されているが，その類似度は，単に画像同士の比較により得られる類似度だけでなく，お手本画像に含まれる顔の情報とユーザによって選択された画像フォルダに格納されている画像に含まれる顔の情報との一致度（顔の情報とは，顔から分かるあらゆる情報のことであり，画像に含まれている顔の数，画像に対する顔の大きさ，顔からわかる性別などのいずれでもよい）でもよい。たとえば，お手本画像に含まれている顔とユーザが指定した画像フォルダに格納されている画像に含まれている顔とをそれぞれ顔認識処理を行い，顔認識から得られる顔の一致度を類似度としてもよい。また，類似度は画像の撮影タイミングの類似度を利用してもよい。たとえば，お手本画像の撮影タイミングとユーザが指定した画像フォルダに格納されている画像の撮影タイミングとの一致度が高ければ，類似度が高いとしてもよい。
【００７２】
図12は，結婚式の流れとお手本のアルバムＡｂ１の各ベージに貼り付けられているお手本画像Ｉｒ100からＩｒ199が，その結婚式で撮影されるタイミングとの関係を示している。
【００７３】
たとえば，時刻ｔ０において結婚式が開始され，時刻ｔ１までの間に新郎，新婦が入場する。時刻ｔ１から時刻ｔ２までの間に新郎，新婦の紹介が行われ，時刻ｔ２から時刻ｔ３までの間に主賓の挨拶が行われる。時刻ｔ３から時刻ｔ４までの間に乾杯が行われ，時刻ｔ４から時刻ｔ５までの間にウエディング・ケーキが入刀され，時刻ｔ５から時刻ｔ６までの間に歓談および食事が行われる。時刻ｔ６から時刻ｔ７までの間にゲストの余興が行われ，時刻ｔ７から時刻ｔ８までの間に両親への花束贈呈が行われ，時刻ｔ８から時刻ｔ９までの間に新郎，新婦による謝辞が行われる。このように，結婚式などのイベントにおいては，大体の流れが決まっており，それぞれの時間帯において撮影される対象も決まっている。
【００７４】
お手本のアルバムにおいては，イベントにおける流れに沿った内容のお手本画像がお手本のアルバムに貼り付けられている。たとえば，お手本のアルバムの第１ページから第２ページには，時刻ｔ０から時刻ｔ１までの間に行われる「新郎新婦入場」に対応した画像が貼り付けられている。お手本のアルバムの第３ページから第４ページには，「新郎新婦紹介」に対応した画像が貼り付けられている。同様に，お手本のアルバムの第５ページには「主賓のあいさつ」に対応した画像，お手本のアルバムの第６ページには「乾杯」に対応した画像，お手本のアルバムの第７ページから第８ページには「ウエディング・ケーキ入刀」に対応した画像，お手本アルバムの第９ページから第12ページには「歓談および食事」に対応した画像，お手本アルバムの第13ページから第15ページには「ゲストの余興」に対応した画像，お手本アルバムの第16ページから第17ページには「花束贈呈」に対応した画像，お手本アルバムの第18ページには「謝辞」に対応した画像が貼り付けられている。
【００７５】
撮影した時刻は，画像ファイルのヘッダに記録されているから，撮影時刻を参考にして，画像がどの撮影タイミングにおいて撮影されたものかが分かる。ユーザによって選択された画像ファイルに格納されている画像のうち，お手本画像表示領域80に表示されている画像の撮影タイミングと同じ撮影タイミングの画像については類似度が高くなるように補正し，お手本画像表示領域80に表示されている画像の撮影タイミングと異なる撮影タイミングの画像については類似度が低くなるように補正し，補正された類似度が最も高い画像が選択画像表示領域90に表示されるようにできる。また，補正された類似度の高い順におすすめ領域101に画像を表示できる。例えば，図８において，撮影タイミングを考慮しない場合において，お手本画像Ｉｒ100と画像Ｉ１との類似度が0.8，お手本画像Ｉｒ100と画像Ｉｒ２との類似度が0.75であったとする。撮影タイミングを考慮しない場合には，お手本画像Ｉｒ100との類似度が最も高い画像として画像Ｉ１が見つけられ，選択画像表示領域90に画像Ｉ１が表示される。これに対して，お手本画像Ｉｒ100は第１ページの画像であるから，時刻ｔ０から時刻ｔ１までの「新郎新婦入場」の場面でのお手本画像と考えられる。画像Ｉ１が時刻ｔ７から時刻ｔ８までの「花束贈呈」の場面において撮影され，画像Ｉ２は時刻ｔ０から時刻ｔ１までの「新郎新婦入場」の場面において撮影されたものとする。画像Ｉ２は「花束贈呈の」場面において撮影された画像であり，「新郎新婦入場」の画像が貼り付けられる第１ページから第２ページには合わないと考えられる。たとえば，画像Ｉ１は撮影タイミングについての類似度の補正値は０となり，画像Ｉ２は撮影タイミングの類似度の補正値は0.1となる。画像Ｉ１の類似度は，補正値が０であるから0.8＋0＝0.8となり，画像Ｉ２の類似度は，補正値が0.1であるから，0.75＋0.1＝0.85となる。画像Ｉ２の類似度の方が画像Ｉ１の類似度よりも大きくなり，選択画像表示領域90には，画像Ｉ２が表示されるようになる。
【００７６】
このように撮影タイミングを考慮して類似度を高くしてもよい。撮影タイミングは撮影時刻そのものでもよい。
【００７７】
上述の実施例においては、おすすめ画像表示領域101においては、類似度の高さに応じて、時系列画像一覧表示領域102においては、時系列に応じて、それぞれ表示すべき画像が選択され、表示がされるが、それ以外の選択方法、および表示方法を採用してもよい。例えば、おすすめ画像表示領域101においては、撮影タイミングの一致度を考慮しない場合の類似度の高さに応じて表示すべき画像を選択するが、撮影タイミングの一致度がしきい値より高い画像の付近に、好ましいことを示すマークを付する、などの表示方法を採用してもよい。また例えば、時系列画像一覧表示領域102においては、時系列に応じて表示すべき画像を選択することは上述の実施例と変わらないが、お手本画像表示領域80に表示される画像と類似度がしきい値より高い画像の付近に、好ましいことを示すマークを付する、などの表示方法を採用してもよい。
【００７８】
上述の実施例においては，結婚式のアルバムを作成するものであったが，結婚式のアルバム以外のアルバムを，お手本のアルバムを参考にして作成してもよい。たとえば，１年間の学校行事をまとめたアルバムを作成するようにしてもよい。そのような場合においては，１年前に作成したアルバムをお手本として新たなアルバムを作成する場合も，１年間に行われるイベントは毎年同じ時期に行われることが多いから，同じ時期に撮影された画像の類似度を高くしてもよい。
【００７９】
上述の処理を実行する処理部には，ソフトウエアを実行して各種の処理部として機能するＣＰＵ10のほかに，FPGA（field-programmable gate array）などのように製造後に回路構成を変更可能なプログラマブル・ロジック・ディバイス，ASIC（application specific integrated circuit）などの特定の処理を実行させるために専用に設計された回路構成を有するプロセッサである専用電気回路などが含まれる。
【００８０】
１つの処理部は，これらの各種のプロセッサのうちの１つで構成されてもよいし，同種または異種の２つ以上のプロセッサの組合せ（たとえば，複数のFPGA，ＣＰＵとFPGAの組合せ）で構成されてもよい。複数の処理部を１つのプロセッサで構成する例としては，第１に，クライアント・コンピュータやサーバなどのコンピュータに代表されるように，１つ以上のＣＰＵとソフトウエアの組合せで１つのプロセッサを構成し，このプロセッサが複数の処理部として機能する形態がある。第２に，システム・オン・チップなどに代表されるように，複数の処理部を含むシステム全体の機能を１つのＩＣ（integrated circuit）チップで実現するプロセッサを使用する形態がある。このように，各種の処理部は，ハードウエア的な構造として各種のプロセッサを１つ以上用いて構成される。
【００８１】
さらに，これらの各種のプロセッサのハードウエア的な構造は，より具体的には，半導体素子などの回路素子を組合せた電気回路である。
【符号の説明】
【００８２】
１：コンピュータ，２：受注サーバ，３：プリンタ，10：ＣＰＵ，11：表示装置，12：通信装置，13：ハード・ディスク，14：ハード・ディスク・ドライブ，15：メモリ，16：キーボード，17：マウス，18：コンパクト・ディスク・ドライブ，19：コンパクト・ディスク，20：メモリ・カード・リーダ・ライタ，21：メモリ・カード，50：アルバム作成ウインドウ，51：ファイル・メニュー・ボタン，52：サムネール・ボタン，53：ウインドウ・メニュー・ボタン，54：設定メニュー・ボタン，60：アルバム表示領域，61：前の手本ボタン，62：次のお手本ボタン，63：文字列，64：表紙，70：ページ表示領域，71：前ページ・ボタン，72：次ページ・ボタン，73：文字列，74：第１ページ，80：お手本画像表示領域，81：前画像ボタン，82：次画像ボタン，83：文字列，90：選択画像表示領域，91：決定ボタン，92：選択画像，100：画像一覧表示領域，101：おすすめ画像一覧表示領域，102：時系列画像一覧表示領域，Ａｂ１-Ａｂ10：お手本アルバム，Ａｒ１-Ａｒ５：画像貼付領域，Ｂ１-Ｂ２：チェック・ボックス，Ｉ１-Ｉ２：おすすめ画像，Ｉｒ１-Ｉｒ２：画像，Ｉｒ100-Ｉｒ1099：お手本画像，Ｉｒ11-Ｉｒ12：画像，Ｉｒ21-Ｉｒ22：画像，Ｔ１：テンプレート
【図１】
2020066291.tif 000003
【図２】
2020066291.tif 000004
【図３】
2020066291.tif 000005
【図４】
2020066291.tif 000006
【図５】
2020066291.tif 000007
【図６】
2020066291.tif 000008
【図７】
2020066291.tif 000009
【図８】
2020066291.tif 000010
【図９】
2020066291.tif 000011
【図１０】
2020066291.tif 000012
【図１１】
2020066291.tif 000013
【図１２】
2020066291.tif 000014
【国際調査報告】
2020066291.tif 000015
2020066291.tif 000016
2020066291.tif 000017
2020066291.tif 000018